(57)【要約】      （修正有）【課題】所謂エネルギー問題を解決する為に、何時でも何処でも安定して無尽蔵に電気を作り出す方法を提供する。【解決手段】ｎ個の基本回路（コイルと抵抗で構成される閉回路、又はコンデンサーとコイルと抵抗で構成される閉回路。電源は含んでいてもいなくてもよい。）からなる相互誘導電気回路群（複数個の基本回路を、相互に誘導的に結合した回路。）に於いて、キルヒホッフの第２法則を適用すると、ｎ個の微分方程式が得られる。これらの式から無尽蔵発電の存在根拠とその生起条件を数学的に導いた理論が、発明者が新たに構築した「無尽蔵発電理論」である。この理論に基づいて、無尽蔵に電気を発生させる方法を示した事を特徴とする。【選択図】なし【特許請求の範囲】
【請求項１】
2015130788.tif 000027
【発明の詳細な説明】
【技術分野】
【０００１】  この発明は、キルヒホッフの第２法則から無尽蔵発電の存在根拠とその生起条件を数学的に導いた「無尽蔵発電理論」に基づく、発電の方法に関するものである。
【背景技術】
【０００２】  従来、発電は、石油・石炭・原子力等から生じる熱エネルギーや、水の運動エネルギー等、他の形態のエネルギーを電気エネルギーに変換するという方法で行なわれてきた。  然るに、無尽蔵発電理論に基づく発電は、空間から電気エネルギーそのものを直接取り出すと言う従来とは全く異なる方法で行なう。  因みに、この方法による発電がエネルギー保存の法則を満たさないのは、当該理論に於いて扱う電気回路が閉鎖系でないからである。
【先行技術文献】
【特許文献】
【０００３】  無尽蔵発電理論に関する文献は、見当たらなかった。
【非特許文献】
【０００４】  無尽蔵発電理論に関する文献は、見当たらなかった。
【発明の概要】
【発明が解決しようとする課題】
【０００５】  人類がより豊かな生活を営む為には、より多くのエネルギーを必要とする。そのエネルギー源には、地理的に偏在し且つ有限な資源である石油・石炭・原子力等が用いられる。これらの資源を確保する為には莫大な費用を必要とする。また、その確保の為に、時として国家間の争いも生じる。エネルギーに関しては、従来からこのような問題があった。  本発明は、世界の所謂エネルギー問題を解決する為に、石油・石炭・原子力等の資源を用いる事なく、何時でも何処でも安定して無尽蔵に電気を作り出す方法を提供し、もって、人類の豊かな生活と平和に貢献するものである。
【課題を解決するための手段】
【０００６】  課題を解決するための手段は、発明者が構築した新しい理論に基づく。  まず、その理論を紹介する為に、発明者が著した論文を全文引用する。  因みに、この論文は未発表である。【０００７】
2015130788.tif 000002
2015130788.tif 000003
2015130788.tif 000004
2015130788.tif 000005
2015130788.tif 000006
2015130788.tif 000007
2015130788.tif 000008
2015130788.tif 000009
2015130788.tif 000010
2015130788.tif 000011
2015130788.tif 000012
2015130788.tif 000013
2015130788.tif 000014
2015130788.tif 000015
2015130788.tif 000016
2015130788.tif 000017
【０００８】「無尽蔵発電理論」で用いた特殊な用語について、再掲する。「Ｌ−基本回路」：コイルと抵抗で構成された閉回路。電源を含んでいてもいなくてもよい。「Ｃ−基本回路」：コンデンサーとコイルと抵抗で構成された閉回路。電源を含んでいてもいなくてもよい。「基本回路」：Ｌ−基本回路とＣ−基本回路の総称。「相互誘導電気回路群」：複数個の基本回路を、相互に誘導的に結合した回路。2015130788.tif 000018
また、Ｌ−基本回路の場合は、Ｃ＝∞である。【０００９】
2015130788.tif 000019
基本回路からなる相互誘導電気回路群、若しくは、条件Ｓを満たすｎ個のＣ−基本回路からなる相互誘導電気回路群の場合、無尽蔵発電の生起条件はＬ＜（ｎ−１）Ｍである。【００１０】  従って、Ｌ＜（ｎ−１）Ｍとなるように、条件Ｓを満たすｎ個のＬ−基本回路からなる相互誘導電気回路群、若しくは、条件Ｓを満たすｎ個のＣ−基本回路からなる相互誘導電気回2015130788.tif 000020
【００１１】  「無尽蔵発電理論」（Ｐ．１４〜Ｐ．１６）によると、条件Ｓを満たさないｎ個の基本回路か2015130788.tif 000021
【００１２】
2015130788.tif 000022
を持つように、ｎ個の基本回路からなる相互誘導電気回路群を作成すると、無尽蔵発電を起こさせる事が出来る。【００１３】  ［００１０］は、［００１２］の特別な場合に相当する。【００１４】  このように、［０００７］に掲載した「無尽蔵発電理論」で導かれた生起条件を満足する相互誘導電気回路群を作る事により、無尽蔵に電気を作り出す事が出来る。【００１５】本発明は、以上の構成よりなる、無尽蔵に発電をする方法の発明である。
【発明の効果】
【００１６】  本発明の方法によると、資源を消費する事なく何時でも何処でも安定的に無尽蔵に発電する事が出来、世界の所謂エネルギー問題は解決される。【００１７】  また、この方法による発電は、二酸化炭素の排出も核廃棄物の生成もないので、地球環境に負荷をかけない。本発明により、所謂クリーンエネルギーが誕生した事になる。【００１８】  本発明の方法による発電で得られる電気は、具体的には、当然ながら、照明や冷暖房等日常生活に直接利用する事が出来る。  更に、この電気で直接モーターを回せば、自動車・電車・船舶・航空機等を無限時間動かす事が出来る。【００１９】  方法の発明であるので添付図面は無い。
【発明を実施するための形態】
【００２０】
2015130788.tif 000023
電気回路群に於ける無尽蔵発電の生起条件は、Ｌ−基本回路のみからなる相互誘導電気回路群の場合も、Ｃ−基本回路のみからなる相互誘導電気回路群の場合も、共にＬ＜（ｎ−１）Ｍである。
【００２１】
2015130788.tif 000024
本回路のみからなる相互誘導電気回路群を作る事により、無尽蔵発電を起こす事が出来る。  尚、Ｌ＜（ｎ−１）Ｍを満足せしめるｎが存在する事は明らかである。
【００２２】  Ｎ＞ｎなるＮについて、Ｌ＜（ｎ−１）Ｍ＜（Ｎ−１）Ｍは、常に成り立つから、条件Ｓを満たすｎ個のＬ−基本回路のみからなる相互誘導電気回路群、若しくは、条件Ｓを満たすｎ個のＣ−基本回路のみからなる相互誘導電気回路群に於いて既に無尽蔵発電が起こっている場合について、条件Ｓを満たすＮ個のＬ−基本回路のみからなる相互誘導電気回路群、若しくは、条件Ｓを満たすＮ個のＣ−基本回路のみからなる相互誘導電気回路群を作っても無尽蔵発電が生じる。
【００２３】  従って、このようなＮ個の基本回路からなる相互誘導電気回路群を作成しても無尽蔵発電を起こす事が出来る。
【００２４】  また、「無尽蔵発電理論」によると、条件Ｓを満たさない一般的なｎ個の基本回路からなる相互誘導電気回路群の場合、［００１１］に記述したように、無尽蔵発電の生起条件2015130788.tif 000025
【００２５】  従って、条件Ｓを満たす相互誘導電気回路群を作成する事が困難な場合に於いては、2015130788.tif 000026
誘導電気回路群を作る事により、無尽蔵発電を起こす事が出来る。
【００２６】  以上から、［００２１］又は［００２５］に示す方法により無尽蔵に電気を発生させる事が出来る。
【００２７】  方法の発明であるので添付図面は無い。